【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
記録媒体の同一領域に対して複数回の記録を重ねることで画像を形成するための画像データを生成する画像処理装置であって、
前記画像データに対して、前記画像データを構成する画素毎に、該画素を表す画素値を所定の閾値以上の第１の画像データと前記閾値未満の第２の画像データとに分割する分割手段と、
前記第１の画像データに対してディザ処理を実行する第１のハーフトーン処理手段と、
前記第２の画像データに対して誤差拡散処理を実行する第２のハーフトーン処理手段と
を有することを特徴とする画像処理装置。
【請求項２】
前記複数回はＮ回であり、
前記分割手段は、前記閾値以上の画素値をさらに所定の比率によって分割することにより（Ｎ−１）回分の画像データに分割し、
前記第１のハーフトーン処理手段は、前記（Ｎ−１）回に対応する画像データそれぞれに対してディザ処理をする
ことを特徴とする請求項１に記載の画像処理装置。
【請求項３】
前記第２のハーフトーン処理手段は、前記第１のハーフトーン処理手段における前記ディザ処理の結果に基づいて、前記誤差拡散処理を行なうことを特徴とする請求項１又は２に記載の画像処理装置。
【請求項４】
前記複数回の記録に対応する画像データは、前記第１のハーフトーン処理手段及び第２のハーフトーン処理手段のいずれかによって処理されることを特徴とする請求項１乃至３の何れか１項に記載の画像処理装置。
【請求項５】
ハーフトーン処理を行うための濃度範囲を設定する濃度設定手段と、
前記濃度設定手段で設定された濃度範囲に応じて、前記複数回の記録のそれぞれをいずれのハーフトーン処理手段で生成された画像データを用いて行うのかを設定する手段と、
をさらに備えることを特徴とする請求項１乃至４のいずれか１項に記載の画像処理装置。
【請求項６】
前記複数回の記録のうち先行する所定の記録のための画像データを前記第１のハーフトーン処理手段によって生成し、
前記複数回の記録のうち前記先行する所定の記録に後続する記録のための画像データを前記第２のハーフトーン処理手段によって生成する
ことを特徴とする請求項１乃至４のいずれか１項に記載の画像処理装置。
【請求項７】
記録媒体の同一領域に対して複数回の記録を重ねることで画像を形成するための画像データを生成する画像処理装置であって、
前記画像データに対して、前記画像データを構成する画素毎に、該画素を表す画素値を所定の閾値以上の第１の画像データと前記閾値未満の第２の画像データとに分割する分割手段と、
前記第１の画像データに対してディザ処理を実行する第１のハーフトーン処理手段と、
前記第２の画像データに対して、注目画素と該注目画素の近傍画素とに基づいて前記注目画素の値を決定するハーフトーン処理を実行する第２のハーフトーン処理手段と、
を有することを特徴とする画像処理装置。
【請求項８】
前記第２のハーフトーン処理手段におけるハーフトーン処理は、平均濃度近似処理であることを特徴とする請求項７に記載の画像処理装置。
【請求項９】
記録媒体の同一領域に対してＮ回の記録を重ねることで画像を形成するための画像データを生成する画像処理装置であって、
前記画像データに対して、前記画像データを構成する画素毎に分割することにより、前記Ｎ回の記録に対応する画像データに分割する分割手段と、
前記Ｎ回の記録に対応する画像データのうち（Ｎ−α）回に対応する画像データに対してディザ処理を実行し、（Ｎ−α）回に対応する第１のハーフトーン画像データを生成する第１のハーフトーン処理手段と、
前記Ｎ回の記録に対応する画像データのうちα回に対応する画像データに対して誤差拡散処理を実行し、α回に対応する第２のハーフトーン画像データを生成する第２のハーフトーン処理手段と、
前記α回に対応する第２のハーフトーン画像データと前記（Ｎ−α）回に対応する第１のハーフトーン画像データに基づく記録を制御する制御手段と
を有し、
前記制御手段は、第１のハーフトーン画像データを前記第２のハーフトーン画像データよりも先行して記録させる
ことを特徴とする画像処理装置。
【請求項１０】
前記第１のハーフトーン画像データを記録した結果を検出する検出手段と、
前記検出手段の結果に基づいて、前記α回に対応する画像データを補正する補正手段と
を有し、
前記第２のハーフトーン処理手段は、前記補正手段により補正された前記α回に対応する画像データに対して誤差拡散処理をする
ことを特徴とする請求項９に記載の画像処理装置。
【請求項１１】
さらに、記録媒体上に記録された濃度を読み取る記録濃度取得手段を有し、
前記第２のハーフトーン処理手段は、前記記録濃度取得手段により読み取られた記録媒体上に記録された濃度に基づきハーフトーン処理を行う
ことを特徴とする請求項１乃至１０のいずれか１項に記載の画像処理装置。
【請求項１２】
請求項１乃至１１のいずれか１項に記載の画像処理装置を備えた、記録媒体の同一領域に対して複数回の記録を重ねることで画像を形成する画像形成装置。
【請求項１３】
前記複数回の記録を、同一の記録材を用いて行なうことを特徴とする請求項１２に記載の画像形成装置。
【請求項１４】
複数の記録素子を有する記録ヘッドを、前記記録媒体の同一領域に対して複数回走査させることによって画像を形成することを特徴とする請求項１２又は１３に記載の画像形成装置。
【請求項１５】
それぞれ主走査方向に並んだ複数の記録素子からなる複数の記録素子列が、前記記録媒体の副走査方向の領域に対してそれぞれ記録を行うことによって画像を形成することを特徴とする請求項１２又は１３に記載の画像形成装置。
【請求項１６】
記録媒体の同一領域に対して複数回の記録を重ねることで画像を形成するための画像データを生成する画像処理方法であって、
前記画像データに対して、前記画像データを構成する画素毎に、該画素を表す画素値を所定の閾値以上の第１の画像データと前記閾値未満の第２の画像データとに分割するステップと、
前記第１の画像データに対してディザ処理を実行する第１のハーフトーン処理ステップと、
前記第２の画像データに対して誤差拡散処理を実行する第２のハーフトーン処理ステップと
を含むことを特徴とする画像処理方法。
【請求項１７】
記録媒体の同一領域に対して複数回の記録を重ねることで画像を形成するための画像データを生成する画像処理方法であって、
前記画像データに対して、前記画像データを構成する画素毎に、該画素を表す画素値を所定の閾値以上の第１の画像データと前記閾値未満の第２の画像データとに分割するステップと、
前記第１の画像データに対してディザ処理を実行する第１のハーフトーン処理ステップと、
前記第２の画像データに対して、注目画素と該注目画素の近傍画素とに基づいて前記注目画素の値を決定するハーフトーン処理を実行する第２のハーフトーン処理ステップと、
を有することを特徴とする画像処理装置。
【請求項１８】
記録媒体の同一領域に対してＮ回の記録を重ねることで画像を形成するための画像データを生成する画像処理方法であって、
前記画像データに対して、前記画像データを構成する画素毎に分割することにより、前記Ｎ回の記録に対応する画像データに分割するステップと、
前記Ｎ回の記録に対応する画像データのうち（Ｎ−α）回に対応する画像データに対してディザ処理を実行し、（Ｎ−α）回に対応する第１のハーフトーン画像データを生成する第１のハーフトーン処理ステップと、
前記Ｎ回の記録に対応する画像データのうちα回に対応する画像データに対して誤差拡散処理を実行し、α回に対応する第２のハーフトーン画像データを生成する第２のハーフトーン処理ステップと、
前記α回に対応する第２のハーフトーン画像データと前記（Ｎ−α）回に対応する第１のハーフトーン画像データに基づく記録を制御する制御ステップと
を含み、
前記制御ステップは、第１のハーフトーン画像データを前記第２のハーフトーン画像データよりも先行して記録させる
ことを特徴とする画像処理方法。
【請求項１９】
コンピュータを、請求項１乃至１１のいずれか１項に記載の画像処理装置として機能させるためのプログラム。